(57)【特許請求の範囲】
【請求項１】
本体前面に形成された略矩形の開口及び長手方向が同本体の前後方向を向くように同本体の底面内側上において略垂直に立設されたリブを有するテレビジョンキャビネットと、上記テレビジョンキャビネット内部の所定位置に配設され、かつ先端にコネクタを備える所定長さの接続用コードを延出するスピーカと、上記テレビジョンキャビネット内部において画像表示面を上記開口を介して外部に露出させて配設されるＣＲＴ装置と、上記接続用コードを介して上記スピーカと接続する所定の電子部品を実装するとともに上記底面内側上の所定位置に配設される基板とを備えるテレビジョンにおいて、
上記リブは、上記底面の後端から所定距離内にある部位に、上記接続用コードが上記電子部品に未接続の状態において、同接続用コード上の部位であって上記コネクタから一定範囲内の長さ位置にある部位を引掛けて固定するための第一切欠部を有するとともに、第一切欠部よりも上記前面に近い部位に、上記接続用コードが上記電子部品に接続されるとともに上記基板が上記底面内側上の所定位置に配設された状態において、上記接続用コードの中途部位を引掛けて略固定状態とするための第二切欠部を有し、
上記第一切欠部及び第二切欠部は、夫々上記リブの高さ方向に段差を設けた部位の各段の接続部分において上記前面に向かう方向に切欠状に形成され、第一切欠部は切欠状部位の最深部に近付くほどに空間が狭小となることを特徴とするテレビジョン。
【請求項２】
先端にコネクタを備える所定長さの接続用コードを延出するスピーカと同接続用コードを介して同スピーカと接続する所定の電子部品を実装した基板とＣＲＴ装置とを本体内部の各所定位置に夫々配設するとともに、同本体の底面内側上に立設されたリブを備えるテレビジョンキャビネットであって、
上記リブは、上記底面の後端から所定距離内にある部位に上記接続用コードを引掛けて固定するための第一切欠部を形成するとともに、上記第一切欠部よりも上記テレビジョンキャビネットの前面に近い部位に上記接続用コードを引掛けて略固定状態とするための第二切欠部を形成することを特徴とするテレビジョンキャビネット。
【請求項３】
上記第一切欠部は、上記接続用コードが上記電子部品と未接続の状態において上記接続用コードを固定し、上記第二切欠部は、上記接続用コードが上記電子部品に接続された状態において上記接続用コードを略固定状態とすることを特徴とする請求項２に記載のテレビジョンキャビネット。
【請求項４】
上記第一切欠部は、上記接続用コード上の部位のうち上記コネクタから一定範囲内の長さ位置にある部位を固定することを特徴とする請求項２または請求項３のいずれかに記載のテレビジョンキャビネット。
【請求項５】
上記第一切欠部及び第二切欠部は、夫々上記リブの高さ方向に段差を設けた部位の各段の接続部分において上記前面に向かう方向に切欠状に形成されることを特徴とする請求項２〜請求項４のいずれかに記載のテレビジョンキャビネット。
【請求項６】
上記第一切欠部は、切欠状部位の最深部に近付くほどに空間が狭小となる形状であることを特徴とする請求項５に記載のテレビジョンキャビネット。
【請求項７】
上記第一切欠部は、上記リブの高さ方向に空間を挟んで相対し切欠状部位を形成する二つの側面のうち一方の側面が他方の側面に対して斜めに傾いていることを特徴とする請求項６に記載のテレビジョンキャビネット。
【請求項８】
上記第一切欠部は、上記リブの高さ方向に空間を挟んで相対し切欠状部位を形成する二つの側面のうち両方あるいは一方の側面が、最深部に近付くほどに他方の側面に対して階段状に接近する形状であることを特徴とする請求項６に記載のテレビジョンキャビネット。
【請求項９】
上記第二切欠部は、上記リブの高さ方向に空間を挟んで相対し切欠状部位を形成する二つの側面のうち両方あるいは一方の側面上に突起体を設けることを特徴とする請求項５〜請求項８のいずれかに記載のテレビジョンキャビネット。
【発明の詳細な説明】
【技術分野】
【０００１】
本発明は、テレビジョンおよびテレビジョンキャビネットに関し、特に、内部に配線される接続用コードを所定の位置に固定するテレビジョンおよびテレビジョンキャビネットに関する。
【背景技術】
【０００２】
従来のテレビジョンの組立て作業は、図１１の（１）〜（３）に示す手順で行っていた。すなわち、テレビジョンキャビネットのうちフロントキャビネット１１０の内部にＣＲＴ装置１２０を配設するために、先ず、同フロントキャビネット１１０をその前面１１１が下を向くように倒す。そして、かかるフロントキャビネット１１０に対して上方からＣＲＴ装置１２０を降下させ、同ＣＲＴ装置１２０の画像表示面１２１がフロントキャビネット１１０の前面１１１の開口１１１ａを介して外部に向くようにフロントキャビネット１１０内部に配設していた。
【０００３】
また、従来技術として、スピーカを結合したキャビネットと、一端が上記スピーカに接続されて上記キャビネット外へ引き出されるとともに他端にコネクタを備えた接続用コードからなり、同コネクタを収納するための凹部をキャビネットの外壁に設けたスピーカ装置が知られている（例えば、特許文献１参照。）。
特許文献１においては、接続用コードの他端に接合されたコネクタを上記凹部にはめ込んで収容する。
【０００４】
さらに、他の従来技術として、スピーカフレームもしくはスピーカを装着するブラケットの根元部近傍にコード固定部を設けたスピーカ装置が知られている（例えば、特許文献２参照。）。
特許文献２においては、上記固定部によってコードを固定し、コードの引き回しの自由度を確保している。
【０００５】
さらに、他の従来技術として、スピーカとプリント配線基板とを接続する配線コードを、プリント基板から植立するクランパによってばらつかないように中間部を束ね、同配線コードを空中で固定したテレビジョン受像機が知られている（例えば、特許文献３参照。）。
【特許文献１】特開平８‐６５７８２号公報
【特許文献２】特開平１０‐２３５８５号公報
【特許文献３】特開２００２‐３３９７７号公報
【発明の開示】
【発明が解決しようとする課題】
【０００６】
上記従来の組立て作業においては、フロントキャビネット１１０を倒した際に、既に同フロントキャビネット１１０内部の所定位置に配設されているスピーカ１３０等から延出する接続用コード１３１が下方に垂れ下がってしまう。その結果、ＣＲＴ装置１２０を降下させた際に接続用コード１３１とＣＲＴ装置１２０とが接触し、接続用コード１３１が降下していくＣＲＴ装置１２０に引きずられてしまうことがあった。そして、接続用コード１３１がＣＲＴ装置１２０とフロントキャビネット１１０との間に巻込まれ、ＣＲＴ装置１２０がフロントキャビネット１１０内に配設されたときに、接続用コード１３１の先端部であるコネクタ１３１ａが上記前面１１１の開口１１１ａから外部に出てしまうという不都合も生じ得た。かかる場合には、もう一度ＣＲＴ装置１２０の設置作業をやり直す必要があり、製品組立ての作業が大幅に遅延していた。
【０００７】
また、接続用コード１３１がＣＲＴ装置１２０とフロントキャビネット１１０との間に巻込まれないまでも、上記作業中において接続用コード１３１は全く拘束されていないため、コネクタ１３１ａの位置もフロントキャビネット１１０内において全く自由となる。コネクタ１３１ａの位置が組立て作業中の製品毎に違うため、同コネクタ１３１ａを基板などの他の部品と接続させる作業の度に、フロントキャビネット１１０内の何処かから同コネクタ１３１ａを探し出す必要が生じ、製品組立ての作業効率を悪化させていた。さらに、ＣＲＴ装置１２０と同コネクタ１３１ａとが接触することにより、同コネクタ１３１ａに不要な負荷を与えてしまうことがあった。
【０００８】
さらに、上記特許文献１においては、コネクタは同凹部によって確実に保持されるため、テレビジョンの組立て作業においてコネクタを基板などに接続する際に同コネクタを外す作業が面倒となる。
さらに、上記特許文献２においては、スピーカのブラケットの根元近傍においてコードを固定しているためコードの大部分は自由度が高い。よって、テレビジョンの組立て作業において、コードがＣＲＴ装置とテレビジョンキャビネットとの間に巻込まれることを、確実に防ぐことはできなかった。
さらに、特許文献３に記載の従来技術においては、クランパは基板上に植立しているため、基板の取付け作業前においては、配線コードを固定することはできなかった。
【０００９】
本発明は、上記課題にかんがみてなされたもので、テレビジョンの組立て作業において内部に配線される接続用コードが邪魔にならず、かつ、同接続用コードへの不要な負荷を禁止し、さらに、同接続用コードの他の電子部品への接続作業を容易にするテレビジョンおよびテレビジョンキャビネットを提供することを目的とする。
【課題を解決するための手段】
【００１０】
上記目的を達成するために、請求項１にかかる発明は、本体前面に形成された略矩形の開口及び長手方向が同本体の前後方向を向くように同本体の底面内側上において略垂直に立設されたリブを有するテレビジョンキャビネットと、上記テレビジョンキャビネット内部の所定位置に配設され、かつ先端にコネクタを備える所定長さの接続用コードを延出するスピーカと、上記テレビジョンキャビネット内部において画像表示面を上記開口を介して外部に露出させて配設されるＣＲＴ装置と、上記接続用コードを介して上記スピーカと接続する所定の電子部品を実装するとともに上記底面内側上の所定位置に配設される基板とを備えるテレビジョンにおいて、上記リブは、上記底面の後端から所定距離内にある部位に、上記接続用コードが上記電子部品に未接続の状態において、同接続用コード上の部位であって上記コネクタから一定範囲内の長さ位置にある部位を引掛けて固定するための第一切欠部を有するとともに、第一切欠部よりも上記前面に近い部位に、上記接続用コードが上記電子部品に接続されるとともに上記基板が上記底面内側上の所定位置に配設された状態において、上記接続用コードの中途部位を引掛けて略固定状態とするための第二切欠部を有し、上記第一切欠部及び第二切欠部は、夫々上記リブの高さ方向に段差を設けた部位の各段の接続部分において上記前面に向かう方向に切欠状に形成され、第一切欠部は切欠状部位の最深部に近付くほどに空間が狭小となる構成としてある。
【００１１】
上記のように構成した請求項１にかかる発明においては、テレビジョンは、テレビジョンキャビネットと、同テレビジョンキャビネット内の各所定位置に配設されるスピーカと、ＣＲＴ装置と、基板とを備える。スピーカは先端にコネクタを備える所定長さの接続用コードを延出しており、上記基板が所定位置に配設される際に、同接続用コードを介して、スピーカと基板に実装された所定の電子部品とが接続される。ＣＲＴ装置は、テレビジョンキャビネットの前面に形成された略矩形の開口を介して画像表示面が外部に露出するように配設され、上記基板は、テレビジョンキャビネットの底面内側上の所定位置に配設される。また、テレビジョンキャビネットの底面内側上には、略垂直に立設されたリブが、その長手方向が同テレビジョンキャビネットの前後方向を向くように備えられている。
【００１２】
ここで、従来のテレビジョンの組立て作業では、上記スピーカから延出した接続用コードがテレビジョンキャビネット内において固定されていなかったために、ＣＲＴ装置をテレビジョンキャビネット内に配設する際に、接続用コードがＣＲＴ装置とテレビジョンキャビネットとの間に巻込まれることがあった。そこで、上記リブは、上記底面の後端から所定距離内にある部位に、接続用コードが上記電子部品に未接続の状態において、接続用コード上の部位であって上記コネクタから一定範囲内の長さ位置にある部位を引掛けて固定するための第一切欠部を形成する。また、同第一切欠部は、リブの高さ方向に段差を設けた部位の各段の接続部分においてテレビジョンキャビネットの前面に向かう方向に切欠状に形成されている。
【００１３】
すなわち、接続用コードが上記電子部品に未接続の場合には、同接続用コードをリブの一部を切欠いて形成した第一切欠部に引掛けて固定しておく。この際、先端のコネクタから一定範囲内の長さ位置にある部位を第一切欠部によって固定するため、同コネクタの自由に動ける範囲は大きく制限される。その結果、ＣＲＴ装置をテレビジョンキャビネット内に収容しようとするときにＣＲＴ装置とコネクタが接触することが避けられ、接続用コードがＣＲＴ装置に引きずられてＣＲＴ装置とテレビジョンキャビネットとの間に巻込まれることを防止できる。また、ＣＲＴ装置とコネクタが接触しないことにより、コネクタに不要な負荷が与えられることも避けられる。
【００１４】
最終的に接続用コードは、そのコネクタにおいて上記電子部品と接続する必要があるため、第一切欠部に固定されるのはあくまで一時的な状態である。従って、第一切欠部は、ＣＲＴ装置の設置作業中の衝撃等で外れない程度の強さで確実に接続用コードを固定でき、かつ、接続用コードを外す作業も簡単であることが望ましい。ここで、切欠状部位は、その最深部に近付くほどに空間が狭小となる形状であるため、接続用コードを空間の奥まで入れ込むように引掛ければ、容易にある程度の強さで接続用コードを固定できる。また、接続用コードは切欠状部位に引掛けられているだけなので、固定状態を解除するのも容易である。
【００１５】
さらに、第一切欠部は、様々な径の太さの接続用コードを固定できる。即ち、最深部に近付くほどに空間が狭小となる形状であるため、固定しようとする接続用コードの太さによってはそれ以上切欠状部位の奥には進めないという位置で、夫々の太さの接続用コードを固定することができる。
このように第一切欠部で接続用コードを固定しておけば、コネクタがテレビジョンキャビネット内の一定の位置にある状態を常に保つことができる。よって、コネクタと上記基板上の電子部品とを接続しようとする際に、同コネクタを探す必要がなくなり、同接続作業の効率が大幅に上がる。
【００１６】
上記リブの第一切欠部よりも上記前面に近い部位には、第二切欠部が形成されている。第二切欠部は、第一切欠部から接続用コードが外され、コネクタが上記電子部品に接続され、基板が上記底面内側上の所定位置に配設された状態において、接続用コードの中途部位を引掛けた状態で略固定する。第二切欠部も、第一切欠部と同様に、上記リブの高さに段差を設けた部位の各段の接続部分において上記前面に向かう方向に切欠状に形成されている。すなわち、接続用コードの中途部位を第二切欠部の切欠状部位に引掛けることにより、スピーカと上記電子部品とを接続した状態の接続用コードの動きを大きく制限する。その結果、テレビジョン内の他の部品に対する接続用コードの不要な接触を防ぐことができる。
【００１７】
請求項２にかかる発明は、先端にコネクタを備える所定長さの接続用コードを延出するスピーカと同接続用コードを介して同スピーカと接続する所定の電子部品を実装した基板とＣＲＴ装置とを本体内部の各所定位置に夫々配設するとともに、同本体の底面内側上に立設されたリブを備えるテレビジョンキャビネットであって、上記リブは、上記底面の後端から所定距離内にある部位に上記接続用コードを引掛けて固定するための第一切欠部を形成するとともに、上記第一切欠部よりも上記テレビジョンキャビネットの前面に近い部位に上記接続用コードを引掛けて略固定状態とするための第二切欠部を形成する構成としてある。
【００１８】
上記のように構成した請求項２にかかる発明においては、テレビジョンキャビネット内部の所定位置には、スピーカと、同スピーカと接続用コードを介して接続する所定の電子部品を実装した基板と、ＣＲＴ装置とが配設される。また、テレビジョンキャビネットの底面内側上にはリブが立設されている。ここで、第一切欠部は、接続用コードを引掛けて固定することができる。 第一切欠部によって接続用コードを固定しておけば、ＣＲＴ装置の設置作業において同接続用コードが邪魔にならない。よって、テレビジョンキャビット内に配設されるＣＲＴ装置に引きずられ、テレビジョンキャビットとＣＲＴ装置との間に同接続用コードが巻込まれるという不都合を回避できる。また、第一切欠部は、上記リブにおいて、上記底面の後端から所定距離内にある部位に形成されているため、テレビジョンキャビネットの後方から組立て作業を行う場合に、接続用コードを固定しやすい。
【００１９】
第二切欠部は、同接続用コードを引掛けて略固定状態とすることができる。ここで、テレビジョンキャビネット内において、接続用コードを第二切欠部によって略固定状態に保持すれば、他の部品に接続用コードが不必要に接触してしまうことを防ぐことができる。また、第二切欠部は、上記リブにおいて、第一切欠部よりも上記テレビジョンキャビネットの前面に近い部位に形成されている。よって、第一切欠部による固定を解除し、第二切欠部による略固定状態に切換えることで、接続用コードをテレビジョンキャビネットの前面により近い位置で保持できると同時に、接続用コードが第二切欠部よりもテレビジョンキャビネットの前面に近い位置に移動してしまうことを防ぐことができる。
【００２０】
請求項３にかかる発明は、上記請求項２に記載のテレビジョンキャビネットにおいて、上記第一切欠部は、上記接続用コードが上記電子部品と未接続の状態において上記接続用コードを固定し、上記第二切欠部は、上記接続用コードが上記電子部品に接続された状態において上記接続用コードを略固定状態とする構成としてある。
【００２１】
上記のように構成した請求項３にかかる発明においては、接続用コードが上記電子部品と未接続状態の場合に、第一切欠部によって接続用コードを固定する。その結果、ＣＲＴ装置をテレビジョンキャビネット内に配設するときに、基板上の所定の電子部品とまだ接続されていない接続用コードにおいて、先端のコネクタがＣＲＴ装置に接触したり、ＣＲＴ装置に引きずられ、テレビジョンキャビットとＣＲＴ装置との間に同接続用コードが巻込まれてしまうという不都合を回避できる。
【００２２】
このように、上記底面の後端から所定距離内にある第一切欠部で接続用コードを固定しておけば、コネクタが上記底面の後端付近にある状態を常に保つことができる。よって、コネクタと基板上の電子部品とを接続しようとする際に、同コネクタを探す必要がなくなり、同接続作業の効率が大幅に上がる。また、第二切欠部が、上記電子部品に接続された状態の接続用コードを略固定状態とすることにより、スピーカと上記電子部品とを接続する接続用コードの、他の部品に対する不要な接触を防止できる。
【００２３】
請求項４にかかる発明は、上記請求項２または請求項３のいずれかに記載のテレビジョンキャビネットにおいて、上記第一切欠部は、上記接続用コード上の部位のうち上記コネクタから一定範囲内の長さ位置にある部位を固定する構成としてある。
【００２４】
上記のように構成した請求項４にかかる発明においては、第一切欠部は、接続用コード上の部位のうち先端のコネクタから一定範囲内の長さ位置にある部位を固定する。ここで、テレビジョンキャビネット内に配設されたスピーカから接続用コードを上記リブの方向に対してほぼ撓まないようにひきつけ、接続用コード上のコネクタから一定範囲内の部位でなければ届かない上記リブ上の部位に第一切欠部を形成する。このようにすれば、必然的に接続用コード上の部位のうち先端のコネクタから一定範囲内の長さ位置にある部位のみを第一切欠部に引掛けて固定することができる。そして、上記一定範囲をコネクタの近傍とすれば、同コネクタの動きは殆ど制限され、同コネクタのＣＲＴ装置との接触や、ＣＲＴ装置とテレビジョンキャビネットとの間に接続用コードが巻込まれるといった不都合を確実に防止できる。
【００２５】
請求項５にかかる発明は、上記請求項２〜請求項４のいずれかに記載のテレビジョンキャビネットにおいて、上記第一切欠部及び第二切欠部は、夫々上記リブの高さ方向に段差を設けた部位の各段の接続部分において上記前面に向かう方向に切欠状に形成される構成としてある。
【００２６】
上記のように構成した請求項５にかかる発明においては、上記第一切欠部及び第二切欠部は、夫々上記リブの高さ方向に段差を設けた部位に形成されている。段差を設けた各部位の各段の接続部分に切欠状の部位を形成し、夫々第一切欠部、第二切欠部としている。各切欠状の部位は、その切欠の方向がテレビジョンキャビネットの前面方向を向いている。このような形状とすれば、テレビジョンキャビネットを前面が下を向くように倒した際、或いはテレビジョンキャビネットの後方から基板を所定位置に配設する際に、作業者は容易に第一切欠部又は第二切欠部に接続用コードを引掛けて固定することができる。
【００２７】
接続用コードが第一切欠部に固定されるのは一時的であるため、第一切欠部は、ＣＲＴ装置の設置作業中に接続用コードが外れない程度の強さで確実に接続用コードを固定でき、かつ、接続用コードを外す作業も簡単であることが望ましい。さらに、固定しようとする接続用コードの径は一定であるとは限らないため、径の太さが異なる各接続用コードを夫々固定することが可能な形状であることが望ましい。そこで、請求項６にかかる発明は、上記請求項５に記載のテレビジョンキャビネットにおいて、上記第一切欠部は、切欠状部位の最深部に近付くほどに空間が狭小となる形状である構成としてある。
【００２８】
切欠状部位の最深部に近付くほどに空間が狭小となる形状とすれば、接続用コードを空間の奥まで入れ込むように引掛けることで、容易にある程度の強さで接続用コードを固定できる。また、接続用コードは切欠状部位に引掛けられているだけなので、固定状態を解除するのも容易である。加えて、固定しようとする接続用コードの径の太さに拘わらず、接続用コードを空間の奥まで入れ込んだ際に、それ以上切欠状部位の奥には進めないという位置で夫々の太さの接続用コードを固定することができる。
【００２９】
第一切欠部の具体的形状の例として、請求項７にかかる発明は、上記請求項６に記載のテレビジョンキャビネットにおいて、上記第一切欠部は、上記リブの高さ方向に空間を挟んで相対し切欠状部位を形成する二つの側面のうち一方の側面が他方の側面に対して斜めに傾いている構成としてある。即ち、切欠状部位の最深部に近付くほどに空間が狭小となる形状の一例として、上記リブの高さ方向に空間を挟んで相対し切欠状部位を形成する二つの側面のうち一方の側面が他方の側面に対して斜めに傾いている場合が考えられる。かかる形状とすれば、切欠状部位は空間が徐々に狭まっていくため、様々な径の接続用コードを夫々適切な位置で固定することができる。
【００３０】
第一切欠部の具体的形状の他の例として、請求項８にかかる発明のように、上記請求項６に記載のテレビジョンキャビネットにおいて、上記第一切欠部は、上記リブの高さ方向に空間を挟んで相対し切欠状部位を形成する二つの側面のうち両方あるいは一方の側面が、最深部に近付くほどに他方の側面に対して階段状に接近する形状である構成としてもよい。すなわち、切欠状部位は奥に行くほどに空間の幅が段階的に狭まっていき、各側面は、相対する部位においては略平行となる。従って、ある太さの径の接続用コードを固定する際に、同接続用コードを両側から挟んで固定するのに最適な幅が形成されている部位を選択し、同接続用コードを固定すればよい。
【００３１】
請求項９にかかる発明は、上記請求項５〜請求項８のいずれかに記載のテレビジョンキャビネットにおいて、上記第二切欠部は、上記リブの高さ方向に空間を挟んで相対し切欠状部位を形成する二つの側面のうち両方あるいは一方の側面上に突起体を設ける構成としてある。第二切欠部において、上記リブの高さ方向に空間を挟んで相対し切欠状部位を形成する二つの側面のうち両方あるいは一方の側面上に突起体を設けることとすれば、第二切欠部に引掛けられた接続用コードに外力が与えられた場合でも、同突起体が接続用コードの周面に当接して抵抗となる。その結果、接続用コードは、第二切欠部によってより効果的にその動きが抑制される。
【発明の効果】
【００３２】
以上説明したように、請求項１にかかる発明によれば、テレビジョンの組立て作業において、スピーカから延出した接続用コードがＣＲＴ装置とテレビジョンキャビネットとの間に巻込まれること及びＣＲＴ装置との接触による同接続用コードのコネクタへの不要な負荷を防止し、かつ、同接続用コードを基板上の電子部品に接続しやすく、基板がテレビジョンキャビネット内に配設された後には同接続用コードの他の部品への不要な接触を防ぐことが可能なテレビジョンを提供することができる。
また、請求項２にかかる発明によれば、接続用コードがＣＲＴ装置とテレビジョンキャビネットとの間に巻込まれること及びＣＲＴ装置との接触による同接続用コードのコネクタへの不要な負荷を防止し、かつ、テレビジョンキャビネット内における同接続用コードの他の部品への不要な接触を防ぐことが可能なテレビジョンキャビネットを提供することができる。
【００３３】
さらに、請求項３にかかる発明によれば、基板上の電子部品と未接続の場合の接続用コードおよび、同電子部品と接続した後の接続用コードを、テレビジョンキャビネット内において夫々適切に固定することができ、部品間の接続作業の効率も上がる。
さらに、請求項４にかかる発明によれば、接続用コードがＣＲＴ装置とテレビジョンキャビネットとの間に巻込まれること及びＣＲＴ装置との接触による同接続用コードのコネクタへの不要な負荷を確実に防止できる。
さらに、請求項５にかかる発明によれば、第一切欠部及び第二切欠部における接続用コードの固定作業が容易となる。
さらに、請求項６〜請求項８にかかる発明によれば、第一切欠部において、様々な太さの接続用コードを容易にかつ、ある程度の強度で固定することができ、さらに、固定状態を容易に解除することができる。
さらに、請求項９にかかる発明によれば、第二切欠部は接続用コードが動くことを効果的に抑制する。
【発明を実施するための最良の形態】
【００３４】
図１は、本願発明にかかるテレビジョンの筺体となるテレビジョンキャビネット１０を後方斜視図により示している。
同図においては、テレビジョンキャビネット１０を構成するもののうち、フロントキャビネット２０のみ示し、リアキャビネットは省略している。また、内部に収容される部品のうちスピーカ３０以外のＣＲＴ装置４０や基板５０なども省略している。
フロントキャビネット２０の前面２１の略中央には、開口２１ａが形成されている。前面２１の上下左右の縁部からは、後方に向かって側壁２２が延設している。ここで、側壁２２のうち前面２１の下方縁部から延設しているものを、特に底面２３と呼ぶ。
【００３５】
同図に示すように、フロントキャビネット２０内の左右２箇所には、スピーカ３０が設置されており、同スピーカ３０からは、所定の長さを有する接続用コード３１が延出している。また、接続用コード３１の先端には、後述する基板５０上に実装された電子部品５１と接続するためのコネクタ３１ａが備えられている。
【００３６】
底面２３の内側、即ち底面２３上には、リブ２４と基板支持部２５とが略垂直に立設しており、リブ２４及び基板支持部２５は、その長手方向がフロントキャビネット２０の前後方向を向いている。ここで、基板支持部２５は一対で一枚の基板５０を支持するものである。一対の基板支持部２５の互いに向き合う側面上の同じ高さには、基板５０の厚さ分の間隔で凹状にされたガイドレール２５ａが、基板支持部２５の長手方向に夫々形成されている。すなわち、基板５０は、左右の縁の上下をガイドレール２５ａに挟まれた状態で、基板支持部２５の間を底面２３の後端から前面２１に向かう方向にスライドして設置される。
【００３７】
リブ２４は、上記基板５０が設置される予定の位置と、フロントキャビネット２０内の左右位置に設置された各スピーカ３０の位置との間に夫々立設される。即ち、リブ２４は、一対の基板支持部２５のうち右側に位置する基板支持部２５と一対のスピーカ３０のうち右側に位置するスピーカ３０との間及び、一対の基板支持部２５のうち左側に位置する基板支持部２５と一対のスピーカ３０のうち左側に位置するスピーカ３０との間に夫々立設される
【００３８】
リブ２４の縁部上には、第一切欠部２４ａ及び第二切欠部２４ｂが形成されている。第一切欠部２４ａ及び第二切欠部２４ｂは、いずれもリブ２４の縁部上において高さ方向に段差を設けた部位に形成されており、高さの異なる縁部を接続する部分を、前面２１の方向に向かって凹形状とした切欠となっている。かかる第一切欠部２４ａ及び第二切欠部２４ｂは、後述するように、テレビジョンの組立て作業の各段階で、接続用コード３１を適宜固定する役割を果たす。本実施形態においては、第一切欠部２４ａを底面２３の後端に近い位置に形成し、第二切欠部を、第一切欠部よりも前面２１に近い位置に形成している。
【００３９】
図２は、フロントキャビネット２０の内部にＣＲＴ装置４０を設置する際の状態をフロントキャビネット２０の側面から示した図である。
同図に示すように、ＣＲＴ装置４０をフロントキャビネット２０の内部に設置する際には、フロントキャビネット２０をその前面２１が下を向くように倒しておく。そして、かかるフロントキャビネット２０に対し、画像表示面４１を下向きにした状態でＣＲＴ装置４０を降下さる。そして、ＣＲＴ装置４０を、画像表示面４１が開口２１ａを介して外部に露出するように、フロントキャビネット４０内部の適切な位置に設置する。
本発明においては、同図に示すように、上記ＣＲＴ装置４０の設置作業の際に、接続用コード３１をリブ２４に形成された第一切欠部２４ａに引掛けて固定しておく。
【００４０】
図３は、第一切欠部２４ａに接続用コード３１を固定した状態を拡大的に示している。
第一切欠部２４ａは、切欠状部位の奥に行くほどに空間が狭まっている。即ち、リブ２４の高さ方向に空間を挟んで相対する側面２４ａ１と側面２４ａ２とが互いに平行ではなく、切欠状部位の最深部に向けて徐々に幅狭となっていく。同図においては、空間を挟んでリブ２４の高さ方向の上方にある側面２４ａ１が底面２３に対して斜めに傾いている。従って、接続用コード３１を固定する際に、切欠状部位の奥に接続用コード３１を入れ込むように引掛ければ、接続用コード３１は側面２４ａ１及び側面２４ａ２によってある程度の強さで挟まれた状態となる。その結果、接続用コード３１は第一切欠部２４ａにおいて、ＣＲＴ装置４０を設置する作業中の衝撃によっては外れない程度に、確実に固定される。
【００４１】
また、接続用コード３１は先端のコネクタ３１ａにおいて、基板５０上の電子部品５１と接続する必要があるため、第一切欠部２４ａにおける固定は、ＣＲＴ装置４０を設置する際の一時的な状態である。よって、第一切欠部２４ａは、固定した接続用コード３１を容易に外せる形状であることが求められるが、接続用コード３１は切欠状部位に挟まれるように引掛けられているだけなので、固定状態を解除するのも極めて容易である。
【００４２】
第一切欠部２４ａは、その切欠状部位の間口が広く奥ほど狭まった形状であるため、径が同間口を通過できる太さの接続用コード３１であれば、様々な太さの接続用コード３１を固定できる。ここで、フロントキャビネット２０内におけるスピーカ３０の設置位置によっては、スピーカ３０と電子部品５１とを繋ぐ接続用コード３１が、電源回路などの高周波や高熱を発する回路付近を通過せざるを得ない場合がある。かかる、高周波や高熱を発する回路の付近を通過する場合の接続用コード３１は、ノイズや熱を遮断するために信号線の周囲に厚めのゴムチューブを巻き、その径が太くなる。
【００４３】
スピーカ３０から延出する接続用コード３１といってもその太さは様々であり、固定しようとする接続用コード３１の太さにあわせて第一切欠部２４ａの形状を設計するのはテレビジョンの生産コストを高くする。本実施形態においては、ある接続用コード３１を第一切欠部２４ａの切欠状部位の奥まで入れ込んだ際に、それ以上切欠状部位の奥には進めないという位置で当該接続用コード３１を固定すればよい。その結果、様々な太さの接続用コード３１を固定できる。
【００４４】
第一切欠部２４ａによって、接続用コード３１のどこの部位を引掛けて固定するかという問題も重要である。本実施形態においては、接続用コード３１上の部位であって、先端のコネクタ３１ａから短い距離にある部位を固定する。ここで、コネクタ３１ａから短い距離とは、例えば、第一切欠部２４ａの位置からその距離の範囲内であらゆる方向にコネクタ３１ａが自由に動いたとしても、フロントキャビネット２０への設置作業中のＣＲＴ装置４０と接触する恐れがない程に短い距離を言う。
【００４５】
第一切欠部２４ａによって、コネクタ３１ａから短い距離にある接続用コード３１上の部位を固定するには、リブ２４の縁部上であってスピーカ３０とある程度の距離を有する部位に第一切欠部２４ａを形成する。図１に示すように、本実施形態においては、スピーカ３０は、フロントキャビネット２０内において、前面２１に比較的近い位置に設置されている。一方、第一切欠部２４ａは、上述の通り底面２３の後端に近い位置に形成する。従って、接続用コード３１をスピーカ３０からリブ２４の方向にほぼ撓まないようにひきつけ、コネクタ３１ａから短い距離にある接続用コード３１上の部位でなければ届かないリブ２４の縁部上の部位であって底面２３の後端に近い部位に、第一切欠部２４ａを形成する。
【００４６】
このように、第一切欠部２４ａによって接続用コード３１を引掛けて固定すれば、接続用コード３１のフロントキャビネット２０内における自由度が著しく制限され、コネクタ３１ａが動ける範囲も極めて狭い範囲となる。従って、フロントキャビネット２０に対してＣＲＴ装置４０を設置する作業中に、接続用コード３１がＣＲＴ装置４０とフロントキャビネット２０との間に巻込まれたり、コネクタ３１ａがＣＲＴ装置４０と接触して不要な負荷を受けるということが確実に防止される。
次に、基板５０に実装された所定の電子部品５１にコネクタ３１ａを接続し、基板５０をフロントキャビネット２０内の所定位置に設置する。
【００４７】
図４は、基板５０を底面２３上に設置する手順をフロントキャビネット２０の斜め後方から示している。なお、ＣＲＴ装置４０の図示は省略してある。
同図においては、基板５０を基板支持部２５のガイドレール２５ａに沿って底面２３の後端から前面２１に向かう方向にスライド移動させる際、基板５０が前面２１に到達しきる前段階でスライド移動を停止させる。次に、接続用コード３１を第一切欠部２４ａから外し、同接続用コード３１の先端のコネクタ３１ａを電子部品５１に接続する。かかる接続作業により、電子部品５１とスピーカ３０とが接続用コード３１を介して接続したら、残りの距離をスライド移動させ、基板５０の前方の縁部が前面２１にほぼ到達する本来の設置位置に基板５０を設置する。
【００４８】
電子部品５１との接続前においては、接続用コード３１は第一切欠部２４ａによって固定されているため、コネクタ３１ａの位置も常に一定範囲内の位置にある状態が保たれる。従って、コネクタ３１ａを上記電子部品５１に接続する際に、フロントキャビネット２０内においてコネクタ３１ａを探す必要がなく、同接続作業の効率が大幅に向上する。
【００４９】
ここで、昨今の基板５０の小型化及び、基板５０上の各種電子部品の密集化に伴い、基板５０に実装される各電子部品の実装位置は、その多くがほぼ固定されており、ある電子部品の実装位置を基板５０上で自由にレイアウトするのは難しいという現状がある。特に、スピーカ３０と電気的に接続する上記電子部品５１の実装位置は、基板５０の前方に位置取りさせることが多い。かかる現状から、基板５０が底面２３上の本来の設置位置に置かれた際にＣＲＴ装置４０の下の狭い空間に位置することになる電子部品５１に対しては、基板５０のスライド移動が完了する前段階でコネクタ３１ａを接続したほうが作業上都合がよい。そして、基板５０が底面２３上の本来の設置位置よりも幾らか後方にある時点で電子部品５１とコネクタ３１ａとを接続するには、接続用コード３１の長さを、基板５０が本来の設置位置に置かれたときの電子部品５１とスピーカ３０間の距離よりも長めに設定する必要がある。
【００５０】
上記理由により本来必要な長さよりも長めに設定された接続用コード３１は、弛んだ中途部位がテレビジョンキャビネット１０内において、外部からの衝撃などによって自由に動きかねない。その結果、基板５０上の他の電子部品等、テレビジョン内の他の部品と不必要な接触を生じさせる場合がある。そこで、接続用コード３１が電子部品５１に接続された状態において、接続用コード３１の中途部位をある程度固定し、接続用コード３１の自由な動きを抑制する必要がある。
【００５１】
図５は、接続用コード３１を第二切欠部２４ｂによって固定した状態を示している。同図においては、底面２３を上から見た状態を示しており、フロントキャビネット２０の他の部分や、ＣＲＴ装置４０などは省略してある。
同図に示すように、接続用コード３１の中途部位を、第二切欠部２４ｂの切欠状部位に引掛けることにより、接続用コード３１を略固定状態で保持する。このように、中途部分を略固定状態とすることで、接続用コード３１全体の自由な動きは抑制され、他の部品との不必要な接触を防ぐことができる。なお、第二切欠部２４ｂを形成する位置は様々に選択可能であるが、上述したように、リブ２４の縁部上の部位であって、第一切欠部２４ａよりも前面２１に近い部位に形成する。
【００５２】
第一切欠部２４ａが接続用コード３１の先端近くを固定するのに対し、第二切欠部２４ｂは、両端がスピーカ３０と電子部品５１によって固定されている接続用コード３１の中途部位を保持するものである。よって、第二切欠部２４ｂが形成される位置を、第一切欠部２４ａよりもスピーカ３０及び電子部品５１に近い位置とすることにより、スピーカ３０と電子部品５１間を繋ぐ接続用コード３１に過剰な引張り力を与えることなく、その中途部位を略固定状態とすることができる。
【００５３】
図６は、第二切欠部２４ｂを斜視図により拡大的に示している。
同図に示すように、第二切欠部２４ｂは、リブ２４の縁部上の高さ方向に段差を設けた部位に形成されており、高さの異なる縁部の接続部分を前面２１の方向に向かって略矩形状に切欠いた形状となっている。第二切欠部２４ｂに引掛けられている接続用コード３１の中途部位は、相対する側面２４ｂ１と側面２４ｂ２との間の範囲内に、その上下の動きが制限される。第二切欠部２４ｂは接続用コード３１の中途部位の自由な動きを抑制できる程度にその位置を保持できれば良く、かつ簡易な作業で略固定できることが望ましいため、略矩形状の切欠状部位に接続用コード３１を引掛けるだけの構成となっている。
【００５４】
本発明において採用しうる、第一切欠部２４ａ及び第二切欠部２４ｂの形状は上述したものに限られず、様々な形状を採用可能である。
図７は、リブ２４に形成した第一切欠部２４ｃを示した図である。同図においては、第一切欠部２４ｃが形成されるリブ２４を側面側から示している。同図の左側が前面２１の方向であり、右側が底面２３の後端側である。以下図８，９においても同様の見かたとする。また、上下方向と言った場合、リブ２４の高さ方向を示すものとする。
第一切欠部２４ｃは、切欠状部位の奥に行くほど空間が狭小となるものであるから、上下方向に空間を挟んで相対する側面２４ｃ１と側面２４ｃ２とが互いに平行ではなく、切欠状部位の最深部に向けて徐々に幅狭となっていく。
【００５５】
しかし、図３に示した第一切欠部２４ａと異なり、相対して切欠状部位を形成する側面２４ｃ１，２４ｃ２のうち、下方に位置する側面２４ｃ２が底面２３に対して斜めに傾くことにより、奥に行くほど狭小となる空間を形成している。したがって、上方に位置する側面２４ｃ１は底面２３に対して略平行となる。その結果、側面２４ｃ２と空間を挟んで相対する側には、切欠状部位の最深部から、底面２３の後端側に向かって底面２３と略平行に延出する突出体２４ｃ３が形成される。
【００５６】
通常、リブ２４を含むフロントキャビネット２０は、その全体が合成樹脂で製造される。ここで、上記突出体２４ｃ３の上下方向の幅ｄ１を、リブ２４の部位のうち、突出体２４ｃ３と空間を挟んで下方に位置する部位の上下方向の幅ｄ２に比べて短くする。このように、突出体２４ｃ３を細い棒状とすることで、樹脂製の突出体２４ｃ３はある程度のバネ性を有することになる。従って、第一切欠部２４ｃに接続用コード３１を引掛けて固定する際、接続用コード３１を切欠状部位の奥に入れ込むと、突出体２４ｃ３が上方にしなり、より奥まで接続用コード３１を入れ込むことができる。切欠状部位のより奥まで入り込んだ接続用コード３１は側面２４ｃ１及び側面２４ｃ２によって強固に挟まれるため、第一切欠部２４ｃは上記第一切欠部２４ａにも増して、接続用コード３１を強固に固定することができる。
【００５７】
切欠状部位を形成する側面２４ｃ１，２４ｃ２は、その面が真直ぐである必要はなく、湾曲していても良い。一つの例として、図７の点線で示すように、側面２４ｃ２が、切欠状部位内の空間を広げる方向に湾曲していても良い。上記のように湾曲していれば、通常、断面が略円形である接続用コード３１の周面に沿って側面２４ｃ２が接続用コード３１を保持する。そのため、ある衝撃を受けたときに、接続用コード３１が側面２４ｃ１，２４ｃ２からの反発力によって外へ押出されることが少なくなる。同様に、図３に示した第一切欠部２４ａの側面２４ａ１を、切欠状部位内の空間が広がる方向に湾曲させても良い。
【００５８】
図８は、リブ２４に形成した第一切欠部２４ｄを示した図である。
同図に示すように、第一切欠部２４ｄにおいて、上下方向に空間を挟んで相対する側面２４ｄ１，２４ｄ２のうち上方の２４ｄ１を、空間の奥に行くほどに側面２４ｄ２に階段状に接近する形状としても良い。このような形状とすれば、切欠状部位は奥に行くほどに空間の幅が段階的に狭まっていく。接続用コード３１を固定する際には、切欠状部位における、当該接続用コード３１の径を両側から確実に保持するのに最も適した空間幅を形成する位置まで、接続用コード３１を入れ込めて固定する。第一切欠部２４ｄでは、接続用コード３１の周面を略平行となった２４ｄ１，２４ｄ２によって上下方向から挟むように保持する。そのため、ある衝撃を受けたときに、接続用コード３１が側面２４ｄ１，２４ｄ２からの反発力によって外へ押出されることが無くなる。
【００５９】
図９に示した第一切欠部２４ｅのように、上下方向に空間を挟んで相対する側面２４ｅ１，２４ｅ２のうち下方の２４ｅ２を、空間の奥に行くほどに側面２４ｅ１に階段状に接近する形状としても良い。この場合、図７に示した第一切欠部２４ｃと同様に、上方の側面２４ｅ１は底面２３に対して略平行となる。よって、側面２４ｅ２と空間を挟んで相対する側には、切欠上部位の最深部から、底面２３の後端側に向かって底面２３と略平行に延出する突出体２４ｅ３が形成される。突出体２４ｅ３の上下方向の幅ｄ３を、リブ２４の部位のうち、突出体２４ｅ３と空間を挟んで下方に位置する部位の上下方向の幅ｄ４に比べて短くすれば、図７の突出体２４ｃ３と同様に、突出体２４ｅ３にある程度のバネ性を持たせることができる。
【００６０】
図１０は、第二切欠部２４ｆを斜視図により拡大的に示している。
同図に示すように、第二切欠部２４ｆは、上下方向に空間を挟んで相対し切欠状部位を形成する二つの側面２４ｆ１，２４ｆ２において、夫々突起体２４ｆ３を形成している。側面２４ｆ２上では、上方に向かって立設するリブ状の突起体２４ｆ３が一本、リブ２４の長手方向に沿って形成されている。一方、側面２４ｆ１においては、下方に向かって突出する２本のリブ状の突起体２４ｆ３が、所定の間隔をもってリブ２４の長手方向に沿って形成されている。従って、接続用コード３１が、側面２４ｆ１，２４ｆ２に挟まれた空間内をリブ２４の長手方向に対して左右方向に移動しようとするときに、接続用コード３１の周面に突起体２４ｆ３が当接し抵抗となる。その結果、第二切欠部２４ｆは、スピーカ３０と電子部品５１とを接続した状態の接続用コード３１の動きをより効果的に抑制することができる。なお、側面２４ｆ１，２４ｆ２に設ける突起体２４ｆ３の数は何ら制限されるものではなく、側面２４ｆ１または側面２４ｆ２のいずれか一方にのみ設けても良い。
【００６１】
このように、テレビジョンキャビネット１０内にＣＲＴ装置４０を設置する際に、接続用コード３１の先端に近い部位を、第一切欠部２４ａに引掛けて固定しておく。次に、第一切欠部２４ａから接続用コード３１を外し、先端のコネクタ３１ａを基板５０上の電子部品５１に対して接続し、接続用コード３１の中途部位を第二切欠部２４ｂに引掛けて略固定状態とし、基板５０をテレビジョンキャビネット１０内の所定位置に設置する。その結果、接続用コード３１がＣＲＴ装置４０とテレビジョンキャビネット１０との間に巻込まれること及びコネクタ３１ａへの負荷を防止し、電子部品５１に対してコネクタ３１ａを効率よく接続することができ、さらに、テレビジョン内における、接続用コード３１の他の部品に対する不要な接触を防止できる。
【図面の簡単な説明】
【００６２】
【図１】本願発明の実施形態にかかるテレビキャビネットを示した後方斜示図である。
【図２】フロントキャビネット内部にＣＲＴ装置を設置する際の状態を示した側面図である。
【図３】接続用コードを固定した状態の第一切欠部の拡大図である。
【図４】基板を設置する際のテレビキャビネットを示した後方斜示図である。
【図５】底面を上から見た場合の図である。
【図６】第二切欠部の拡大斜視図である。
【図７】第一切欠部の変形例を示した側面図である。
【図８】第一切欠部の変形例を示した側面図である。
【図９】第一切欠部の変形例を示した側面図である。
【図１０】第二切欠部の変形例を示した拡大斜視図である。
【図１１】従来におけるテレビジョンの組立作業の説明図である。
【符号の説明】
【００６３】
１０…テレビジョンキャビネット
２０，１１０…フロントキャビネット
２１，１１１…前面
２１ａ，１１１ａ…開口
２３…底面
２４…リブ
２４ａ，２４ｃ，２４ｄ，２４ｅ…第一切欠部
２４ｂ，２４ｆ…第二切欠部
２４ａ１，２４ａ２，２４ｂ１，２４ｂ２，２４ｃ１，２４ｃ２，２４ｄ１，２４ｄ２，２４ｅ１，２４ｅ２，２４ｆ１，２４ｆ２…側面
２４ｆ３…突起体
３０，１３０…スピーカ
３１，１３１…接続用コード
３１ａ，１３１ａ…コネクタ
４０，１２０…ＣＲＴ装置
４１，１２１…画像表示面
５０…基板
５１…電子部品
【図１】
0003674706.tif 000002
【図２】
0003674706.tif 000003
【図３】
0003674706.tif 000004
【図４】
0003674706.tif 000005
【図５】
0003674706.tif 000006
【図６】
0003674706.tif 000007
【図７】
0003674706.tif 000008
【図８】
0003674706.tif 000009
【図９】
0003674706.tif 000010
【図１０】
0003674706.tif 000011
【図１１】
0003674706.tif 000012